(57)【要約】【課題】不撓性を有するシート状の光学的情報記録媒体である光ディスクに関する。詳しくは、光ディスクがフレキシブルディスクとフレキシブルディスク用アダプタとからなるフレキシブルディスクおよびフレキシブルディスク用アダプタに関する。【解決手段】  ディスクアダプタを回転することで可撓性のある光ディスクを引き寄せ、信号を読み取り可能にすることを特徴とするフレキシブルディスクおよびフレキシブルディスク用のアダプター。【選択図】図１
2007335023.tif 000002
【特許請求の範囲】
【請求項１】
板状のアダプタに重ねられて使用される情報記録層を有するフレキシブルディスクであって、該フレキシブルディスクは、アダプタと接触する側にアダプタの面とは逆に帯電する保護フィルムを設けたことを特徴とするフレキシブルディスク。
【請求項２】
情報記録層を有するフレキシブルディスクを重ねるためのアダプタであって、該アダプターは、少なくともフレキシブルディスクと接触する側の面がフレキシブルディスク側の面とは逆に帯電する材料で形成されていることを特徴とするフレキシブルディスク用アダプター。
【発明の詳細な説明】
【技術分野】
【０００１】
本発明は、可撓性を有するシート状の光学的情報記録媒体である光ディスクに関する。詳しくは、光ディスクがフレキシブルディスクとフレキシブルディスク用アダプタとからなるフレキシブルディスクおよびフレキシブルディスク用アダプタに関する。
【背景技術】
【０００２】
近年、光ディスクの大容量化が進んでいる。そして、ＣＤ、ＤＶＤよりもさらに高密度・大容量化したＢｌｕ−ｒａｙ  Ｄｉｓｃ（以下ＢＤと記す）が商品化されてきている。
【０００３】
前記ＢＤは単層で２時間のハイビジョンの映像が記録可能な２５ＧＢの大容量メディアである。そして、高密度に記録するために信号を記録するピットを小さくし１ディスク当たりに記録できる容量を増やしている。
【０００４】
このため、より小さいピットの有無を読み取るためにレーザーの波長を４０５ｎｍと短くし、０．８５の高ＮＡのレンズを用いて分解能を高めていると共に、ディスク構造も最適化されてきている。
【０００５】
また、Ｂｌｕ−ｒａｙ  Ｄｉｓｃは、図３に示すようにベース基板・記録層１と反射層２と透明カバー層３を積層した構造になっている。
【０００６】
また、ＢＤの製造方法は、信号記録パターンを形成したスタンパーの金型を射出成形機に取り付けて射出成形する。そして、信号記録層を有する１．１ｍｍのディスク基板が作製される。
【０００７】
次に、蒸着装置により、アルミや銀等の金属を用いてディスク基板の上面をスパッタリングし、反射層が形成される。そして、反射層が形成されたディスクが作製される。
【０００８】
さらに接着剤を用いて透明カバー層と貼り合わせるか、または、ＵＶ樹脂等を用いてスピンコーターにより、反射層が形成されたディスクの上面を塗工し、硬化させ総厚１．２ｍｍのディスクを作製する。
【０００９】
また、新しい光ディスクの製造方法の一つに基板と記録層を別に作製し、貼り合わせてディスクを作製する方法も提案されている。
【００１０】
さらに、基板と記録層を別に作製し、貼り合わせシート状の状態でディスク形状に打ち抜く光ディスクおよびその製造方法も知られている（例えば、特許文献１参照。）。
【００１１】
この光ディスクおよびその製造方法は図４および図５に示すように樹脂が含浸された樹脂含浸紙または樹脂で被覆された樹脂被覆紙からなる基板１２１と、記録層１２２とを有する記録層シートが貼り合わされている。
【００１２】
さらに、基板１２１上に記録層シートが貼り合わされた後、図５に示すようにシート状の状態でディスク形状に打ち抜かれる。
【００１３】
また、ロール方式において、記録層シートに反射膜を成膜した１００μｍのフィルムに、薄いフィルムを接着剤で貼り合せるか、または、樹脂を塗布し硬化させることで数１００μｍのフレキシブルディスクが作製されているのも知られている（例えば、特許文献２
参照。）。
【００１４】
前記フレキシブルディスクは可撓性を持つため、例えば、雑誌等に付録として付けた際、雑誌を曲げることが出来る。そして、取り扱いが容易である。さらに、ディスクを曲げてしまい読み込めなくなるということを防ぐ効果がある。
【００１５】
また、薄いため、使用する材料が少なく、材料コストが低く抑えられる。そして、販売コストも安くなる。
【００１６】
以下に先行技術文献を示す。
【特許文献１】特開２００５−３０２２０８号公報
【特許文献２】特開平６−２２３４０７号公報
【発明の開示】
【発明が解決しようとする課題】
【００１７】
しかしながら、フレキシブルディスクは数１００μｍと薄く可撓性をもつため、直接ドライブで読むことは難しい。
【００１８】
このため、前記フレキシブルディスク専用のドライブが必要となる。そして、専用のドライブは汎用性が乏しく、且つ、製造コストが上昇するという問題がある。
【００１９】
本発明はこのような従来技術の問題を解決しようとするものであり、専用のドライブを用いることなく、通常のドライブ読み取ることできるレキシブルディスクおよびフレキシブルディスク用アダプタを提供することを目的とする。
【課題を解決するための手段】
【００２０】
上記問題点を解決するために、本発明の請求項１に係る発明は、
板状のアダプタに重ねられて使用される情報記録層を有するフレキシブルディスクであって、該フレキシブルディスクは、アダプタと接触する側にアダプタの面とは逆に帯電する保護フィルムを設けたことを特徴とするフレキシブルディスクである。
【００２１】
本発明の請求項２に係る発明は、
情報記録層を有するフレキシブルディスクを重ねるためのアダプタであって、該アダプターは、少なくともフレキシブルディスクと接触する側の面がフレキシブルディスク側の面とは逆に帯電する材料で形成されていることを特徴とするフレキシブルディスク用アダプターである。
【発明の効果】
【００２２】
本発明のフレキシブルディスクおよびフレキシブルディスク用アダプタは、以上の構成からなるので、フレキシブルディスクがフレキシブルディスク用アダプタに安定して吸着される。
【００２３】
そして、専用のディスクを用いることなく、通常のディスクでフレキシブルディスクの面ぶれや、反りもなく安定して情報記録を読むことができる。
【発明を実施するための最良の形態】
【００２４】
本発明のフレキシブルディスクおよびフレキシブルディスク用アダプタを実施の形態に沿って以下に図面を参照にしながら詳細に説明する。図１〜図２は本発明の一実施例を示
す。
【００２５】
図１は、本発明のフレキシブルディスクの構成の一実施例の概略を示す断面図である。
【００２６】
図１に示すように、本発明のフレキシブルディスクは透明基材８フィルム上に記録層７と、反射層６と、接着剤５を介して保護フィルム４が順次積層されている。
【００２７】
前記透明基材８フィルムは、レーザーでのピックアップのため透明で、膜厚が均一で、複屈折のないポリカーボネートフィルムが好ましく用いられるが、特に限定するものではない。
【００２８】
また、記録層７はＵＶ硬化樹脂等が用いられる。そして、耐摩傷性や、硬さ、強度等からアクリル樹脂が好ましく用いられるが、特に限定するものではない。
【００２９】
また、反射層６の成膜方法としては、蒸着、イオンプレーティング、スパッタ等があるが成膜速度が速く、大面積の成膜が可能で、低コスト化が可能なスパッタ法が好ましく用いられる。
【００３０】
そして、反射層６の材料として金、銀、銅、アルミやそれらの合金等があるが、４０５ｎｍでの反射率が有り、且つ、耐久性が有り、コストが低いアルミ合金が好ましく用いられる。そして、好ましい反射層６としては、アルミ合金でスパッタにより５０ｎｍ程度の膜厚に形成されている層である。
【００３１】
また、保護フィルム４は、記録層７と反射層６等をキズなどから保護する効果と、保護フィルム４と図には示していないがフレキシブルディスク用アダプタが摩擦したときに静電気を発生させる効果を付加する。
【００３２】
そして、静電気を発生させるためには、この保護フィルム４とフレキシブルディスク用アダプタの組み合わせで帯電するものが適宜選択して用いられる。
【００３３】
前記帯電するものの選択に際しては、プラスに帯電しやすい物質からマイナスに帯電しやすい物質を並べた帯電列が報告されている。
【００３４】
例えば、プラスからガラス、ナイロン、絹、アセテート、紙、ゴム、ポリスチレン、ポリプロピレン、ポリエチレン、塩化ビニル、フッ素樹脂のような順になっている。そして、この列の中で２つの物質がはなれているほど静電気が発生しやすい。
【００３５】
前記保護フィルム４にナイロンフィルムを用い場合には、フレキシブルディスク用アダプタにポリエチレンフィルムが好ましく用いられる。
【００３６】
以下に、本発明の具体的実施例を挙げて、さらに詳しく説明するが、それに限定されるものではない。
【実施例１】
【００３７】
ポリカーボネート基材８にアクリル樹脂で記録パターンを転写により記録層７を形成した。そして、記録層７の上面にアルミ合金を５０ｎｍスパッタし、反射層６を形成した。
【００３８】
さらに、反射層６の上面に接着剤５を介して１５０μｍのナイロンフィルムにより保護フィルム４を積層して総厚計３００μｍのフレキシブルディスクを作製した。
【００３９】
また、フレキシブルディスク用アダプタはポリエチレン樹脂を用いて図３に示すようにクランピングエリア０を含む直径３３ｍｍより内側のみ９００μｍの厚さとし、それより外側を１１００μｍとした。そして、大きさの規格の最大値にすることで剛性を持たせた。この時、フレキシブルディスクは、図３に示すアダプタの下側に付く。
【産業上の利用可能性】
【００４０】
本発明のフレキシブルディスクおよびフレキシブルディスク用フレキシブルディスク用アダプタは光学的情報記録媒体である光ディスクとして使用できる。
【図面の簡単な説明】
【００４１】
【図１】本発明のフレキシブルディスクの構成の一実施例の断面を示す断面図である
【図２】本発明のフレキシブルディスク用アダプタの概略形状を示す斜視図である
【図３】ＢＤを説明するための断面を示す断面図である
【図４】従来の光ディスクを説明するための断面説明図である。
【図５】従来の光ディスクを説明するための説明図である。
【符号の説明】
【００４２】
１…ベース基板・記録層
２…反射層
３…カバー層
４…保護フィルム
５…接着剤
６…反射層
７…記録層
８…透明基材
９…クランピングエリア
１０…センターホール
【図１】
2007335023.tif 000003
【図２】
2007335023.tif 000004
【図３】
2007335023.tif 000005
【図４】
2007335023.tif 000006
【図５】
2007335023.tif 000007